(57)【要約】【課題】特定の日付の日に発刊された新聞の複製物に娯楽性および遊戯性を兼ね備える。【解決手段】日付の入力を受け付ける日付入力受付ステップと、日付入力受付ステップにおいて受け付けた日付の日に発刊された新聞の所定の紙面の掲載内容を示す新聞画像データをサーバ装置から取得する新聞画像データ取得ステップと、新聞画像データ取得ステップにおいて取得された新聞画像データを加工することによって編集後新聞画像データを生成する画像処理ステップと、画像処理ステップにおいて生成された編集後新聞画像データを台紙に印刷する印刷ステップと、印刷ステップにおいて印刷された台紙を複数の小片に切断して新聞パズルを生成する新聞パズル生成ステップと、を有する。【選択図】図１
2016045632.tif 000002
【特許請求の範囲】
【請求項１】
日付の入力を受け付ける日付入力受付ステップと、
前記日付入力受付ステップにおいて受け付けた前記日付の日に発刊された新聞の所定の紙面の掲載内容を示す新聞画像データをサーバ装置から取得する新聞画像データ取得ステップと、
前記新聞画像データ取得ステップにおいて取得された前記新聞画像データを加工することによって編集後新聞画像データを生成する画像処理ステップと、
前記画像処理ステップにおいて生成された前記編集後新聞画像データを台紙に印刷する印刷ステップと、
前記印刷ステップにおいて印刷された台紙を複数の小片に切断して新聞パズルを生成する新聞パズル生成ステップと、
を有する新聞パズル製造方法。
【請求項２】
メッセージの入力を受け付けるメッセージ入力受付ステップ、
を前記新聞画像データ取得ステップよりも前の段階に更に有し、
前記画像処理ステップは、前記新聞画像データの新聞画像における記事の一部分を、前記メッセージ入力受付ステップにおいて受け付けられた前記メッセージで置き換える、
請求項１記載の新聞パズル製造方法。
【請求項３】
画像データの入力を受け付ける画像データ入力受付ステップ、
を前記画像処理ステップよりも前の段階に更に有し、
前記画像処理ステップは、前記新聞画像データの新聞画像に写真画像領域があるか否かを判定し、前記写真画像領域があると判定した場合に、前記写真画像領域に、前記画像データ入力受付ステップにおいて受け付けられた前記画像データまたは前記画像データに基づき加工された画像データをはめ込む、
請求項１または請求項２いずれか記載の新聞パズル製造方法。
【請求項４】
前記画像処理ステップは、所定のウェブサイトの所在情報を表すコード情報を、前記編集後新聞画像データに埋め込む、
請求項１から請求項３いずれか一項記載の新聞パズル製造方法。
【請求項５】
前記新聞画像データ取得ステップは、前記日付の日が新聞発刊日でない場合に、前記日付に最も近い新聞発刊日に発刊された新聞の所定の紙面の掲載内容を示す新聞画像データをサーバ装置から取得する、
請求項１から請求項４いずれか一項記載の新聞パズル製造方法。
【請求項６】
日付の入力を受け付ける日付入力受付ステップと、
前記日付入力受付ステップにおいて受け付けた前記日付の日に発刊された新聞の所定の紙面の掲載内容を示す新聞画像データをサーバ装置から取得する新聞画像データ取得ステップと、
前記新聞画像データ取得ステップにおいて取得された前記新聞画像データを加工することによって編集後新聞画像データを生成する画像処理ステップと、
前記画像処理ステップにおいて生成された前記編集後新聞画像データを台紙に印刷する印刷ステップと、
前記印刷ステップにおいて印刷された台紙を複数の小片に切断して新聞パズルを生成する新聞パズル生成ステップと、
によって製造された新聞パズル。
【発明の詳細な説明】
【技術分野】
【０００１】
本発明は、新聞パズル製造方法および新聞パズルに関する。
【背景技術】
【０００２】
誕生日や結婚記念日等、過去の特定の日付の入力を受け付け、受け付けた日付の日に発刊された新聞の紙面を紙媒体に印刷し、印刷により得た新聞の複製物を出力する新聞出力装置が知られている（例えば、特許文献１参照）。
【先行技術文献】
【特許文献】
【０００３】
【特許文献１】特開２０００−３０１４５号公報
【発明の概要】
【発明が解決しようとする課題】
【０００４】
上記のような新聞出力装置を用いて、顧客により指定された日付の日に発刊された新聞の複製物を提供するサービスが実施されているが、単に新聞の複製物を提供するだけではなく、新聞の複製物に新たな付加価値をつけて顧客に提供したいという要望があった。
本発明は、上記事情に鑑みてなされたものであり、特定の日付の日に発刊された新聞の複製物に娯楽性および遊戯性を兼ね備えることができる、新聞パズル製造方法および新聞パズルを提供することを目的とする。
【課題を解決するための手段】
【０００５】
［１］上記の課題を解決するため、本発明の一態様である新聞パズル製造方法は、日付の入力を受け付ける日付入力受付ステップと、前記日付入力受付ステップにおいて受け付けた前記日付の日に発刊された新聞の所定の紙面の掲載内容を示す新聞画像データをサーバ装置から取得する新聞画像データ取得ステップと、前記新聞画像データ取得ステップにおいて取得された前記新聞画像データを加工することによって編集後新聞画像データを生成する画像処理ステップと、前記画像処理ステップにおいて生成された前記編集後新聞画像データを台紙に印刷する印刷ステップと、前記印刷ステップにおいて印刷された台紙を複数の小片に切断して新聞パズルを生成する新聞パズル生成ステップと、を有する。
【０００６】
［２］上記［１］記載の新聞パズル製造方法において、メッセージの入力を受け付けるメッセージ入力受付ステップ、を前記新聞画像データ取得ステップよりも前の段階に更に有し、前記画像処理ステップは、前記新聞画像データの新聞画像における記事の一部分を、前記メッセージ入力受付ステップにおいて受け付けられた前記メッセージで置き換える。
［３］上記［１］または［２］いずれか一項記載の新聞パズル製造方法において、画像データの入力を受け付ける画像データ入力受付ステップ、を前記画像処理ステップよりも前の段階に更に有し、前記画像処理ステップは、前記新聞画像データの新聞画像に写真画像領域があるか否かを判定し、前記写真画像領域があると判定した場合に、前記写真画像領域に、前記画像データ入力受付ステップにおいて受け付けられた前記画像データまたは前記画像データに基づき加工された画像データをはめ込む。
［４］上記［１］から［３］記載の新聞パズル製造方法において、前記画像処理ステップは、所定のウェブサイトの所在情報を表すコード情報を、前記編集後新聞画像データに埋め込む。
［５］上記［１］から［４］記載の新聞パズル製造方法において、前記新聞画像データ取得ステップは、前記日付の日が新聞発刊日でない場合に、前記日付に最も近い新聞発刊日に発刊された新聞の所定の紙面の掲載内容を示す新聞画像データをサーバ装置から取得する。
【０００７】
［６］上記の課題を解決するため、本発明の一態様である新聞パズルは、日付の入力を受け付ける日付入力受付ステップと、前記日付入力受付ステップにおいて受け付けた前記日付の日に発刊された新聞の所定の紙面の掲載内容を示す新聞画像データをサーバ装置から取得する新聞画像データ取得ステップと、前記新聞画像データ取得ステップにおいて取得された前記新聞画像データを加工することによって編集後新聞画像データを生成する画像処理ステップと、前記画像処理ステップにおいて生成された前記編集後新聞画像データを台紙に印刷する印刷ステップと、前記印刷ステップにおいて印刷された台紙を複数の小片に切断して新聞パズルを生成する新聞パズル生成ステップと、によって製造される。
【発明の効果】
【０００８】
本発明によれば、特定の日付の日に発刊された新聞の複製物に、娯楽性および遊戯性を兼ね備えることができる。
【図面の簡単な説明】
【０００９】
【図１】第１の実施形態による新聞パズル製造システムを適用した受発注システムの構成の例を示す図である。
【図２】注文サーバが記憶する新聞管理テーブルのデータ構成の例を示す図である。
【図３】第１の実施形態における注文サーバによる注文処理の手順の例を示すフローチャートである。
【図４】第１の実施形態における画像処理装置による画像処理の手順の例を示すフローチャートである。
【図５】パズル製造システムが製造した新聞パズルの例の正面図である。
【図６】パズル製造システムが製造した新聞パズルの別の例の正面図である。
【図７】第２の実施形態における画像処理装置による画像処理の手順の例を示すフローチャートである。
【図８】パズル製造システムが製造した新聞パズルの別の例の正面図である。
【図９】パズル製造システムが製造した新聞パズルの別の例の正面図である。
【図１０】台紙が切断機の切断刃によって切断される様子を表す拡大された断面図である。
【発明を実施するための形態】
【００１０】
以下、本発明を実施するための形態について、図面を参照して詳細に説明する。
［第１の実施形態］
第１の実施形態による新聞パズル製造システムは、注文端末から受け付けた新聞パズルキットの注文の内容に応じて、過去の特定の日に発刊された新聞の所定の紙面の掲載内容に基づいた図柄の新聞パズルと、新聞パズルを収納するパッケージの表紙と、新聞パズルの完成図とを製造する。新聞パズルキットは、新聞パズルと、完成図と、オプション（顧客が希望する場合に限る。）とを含む。オプションは、メッセージカードと、新聞パズルのフレーム（額縁）と、ルーペ（拡大鏡）と、新聞の記事の一部分を任意のメッセージで置き換えるメッセージ置き換えとから任意に選ばれる。新聞パズルキットは、例えば、透明なケース（例えば、樹脂製のピローケース）に表紙とともに収納される。
【００１１】
図１は、第１の実施形態による新聞パズル製造システムを適用した受発注システムの構成の例を示す図である。図１において、受発注システム１は、注文端末１０と、注文システム２０と、新聞サーバ４０と、パズル製造システム５０と、ネットワーク６０とを含む。例えば、新聞パズル製造システムは、受注システム２０およびパズル製造システム５０を含む。例えば、受注システム２０は、サービス提供事業者が管理するシステムである。また、例えば、パズル製造システム５０は、パズル製造事業者が管理するシステムである。
受注システム２０は、注文サーバ２１と、印刷機２２と、画像処理装置２３とを含む。パズル製造システム５０は、制御端末５１と、印刷機５２と、切断機５３とを含む。
【００１２】
注文端末１０と、注文サーバ２１と、新聞サーバ４０と、制御端末５１とは、ネットワーク６０を介して通信可能に接続されている。受信システム２０において、注文サーバ２１と、印刷機２２と、画像処理装置２３とは、例えば、ネットワークを介して接続されている。なお、印刷機２２および画像処理装置２３が、ネットワーク６０に接続されていてもよい。また、パズル製造システム５０において、制御端末５１と、印刷機５２と、切断機５３とは、例えば、ネットワークを介して接続されている。なお、印刷機５２および切断機５３が、ネットワーク６０に接続されていてもよい。
【００１３】
ネットワーク６０は、例えば、インターネットプロトコル（Ｉｎｔｅｒｎｅｔ  Ｐｒｏｔｏｃｏｌ；ＩＰ）によって通信可能なコンピュータネットワークである。例えば、ネットワーク６０は、インターネットである。なお、ネットワーク６０は、ローカルエリアネットワーク（Ｌｏｃａｌ  Ａｒｅａ  Ｎｅｔｗｏｒｋ；ＬＡＮ）を含んでもよい。
【００１４】
注文端末１０は、顧客（ユーザ）によって操作される情報通信端末である。例えば、注文端末１０は、ウェブブラウザがインストールされたパーソナルコンピュータ、スマートフォン、タブレットである。顧客は、ウェブブラウザを用いて注文サーバ２１が管理する新聞パズル注文サイトを閲覧し、この新聞パズル注文サイトの注文フォームにしたがって注文の内容を入力する。新聞パズル注文サイトは、オンラインショップサイトである。例えば、注文端末１０は、ＨＴＴＰ（Ｈｙｐｅｒｔｅｘｔ  Ｔｒａｎｓｆｅｒ  Ｐｒｏｔｏｃｏｌ）またはＨＴＴＰＳ（Ｈｙｐｅｒｔｅｘｔ  Ｔｒａｎｓｆｅｒ  Ｐｒｏｔｏｃｏｌ  Ｓｅｃｕｒｅ）によって、注文サーバ２１が管理する新聞パズル注文サイトにアクセスし、注文サーバ２からＨＴＭＬ（Ｈｙｐｅｒｔｅｘｔ  Ｍａｒｋｕｐ  Ｌａｎｇｕａｇｅ）の情報リソースを取得し、取得した情報リソースをウェブブラウザによって表示装置に表示させる。注文端末１０は、顧客によって入力された注文の内容を示すデータを、ＨＴＭＬのデータとして注文サーバ２１に送信する。
【００１５】
注文サーバ２１は、新聞パズル注文サイトを管理する。すなわち、注文サーバ２１は、新聞パズル注文サイトの情報リソースを記憶し管理する。注文サーバ２１は、注文端末１０が送信したＨＴＭＬのデータ（注文の内容を示すデータ）を受信し、注文情報を生成してこの注文情報を記憶する。
【００１６】
例えば、注文情報は、発刊日情報と、種類情報と、パッケージ情報と、オプション情報（但し、顧客によってオプションが選択された場合に限る。）と、顧客情報と、会計情報とを含む。発刊日情報は、新聞の発刊日を表す情報である。種類情報は、新聞パズルの種類を表す情報である。例えば、種類情報は、４０ピース（初級）を示す情報、１１７ピース（標準）を示す情報、および３１５ピース（上級）を示す情報のうちいずれかの情報である。パッケージ情報は、新聞パズルを収納するパッケージの表紙に印字される情報である。例えば、パッケージ情報は、タイトル（“お誕生パズル”、“記念日パズル”、または任意のタイトル）を表すタイトル情報と、新聞パズルの供給先を表す供給先情報と、新聞パズルの供給日を表す供給日情報と、新聞パズルの供給元を表す供給元情報とを含む。なお、パッケージ情報は、タイトル情報、供給先情報、供給日情報、および供給元情報のうち顧客が選択した任意のものを含んでよく、または、いずれも含まなくてもよい。
【００１７】
オプション情報は、新聞パズルのオプションを示す情報である。例えば、オプション情報は、フレームを指定するフレーム指定情報と、ルーペを指定するルーペ指定情報と、メッセージカードを指定するカード指定情報と、新聞の記事の一部分と置き換えるメッセージを指定するメッセージ指定情報とのうち、顧客が選択した任意の情報を含む。なお、カード指定情報には、カードメッセージの情報が含まれる。また、メッセージ指定情報には、メッセージの情報が含まれる。顧客によってオプションが選択されない場合、例えば、オプション情報はヌル（ｎｕｌｌ）である。顧客情報は、顧客を特定する個人情報（例えば、氏名、メールアドレス、住所、および電話番号）である。会計情報は、新聞パズルおよびオプション（オプションが選択された場合に限る。）の販売価格を示す価格情報と、支払方法を示す支払方法情報とを含む情報である。
【００１８】
また、注文サーバ２１は、新聞管理テーブルを記憶する。新聞管理テーブルは、所定期間における毎日の新聞管理情報を含む。例えば、所定期間は、１８７３年（明治６年）１月１日から現在日までである。例えば、新聞管理情報は、識別情報と、日付を表す日付情報と、当該日付の日が新聞の発刊日であるか休刊日であるかを示すフラグ情報とを含む。例えば、注文サーバ２１は、毎日、生成した新聞管理情報を新聞管理テーブルに追加する。
【００１９】
注文サーバ２１は、注文情報に基づいて、新聞パズルキットの注文票を印刷機２２で印刷させる。
また、注文サーバ２１は、注文情報におけるパッケージ情報に基づいて、パッケージの表紙を印刷機２２で印刷させる。
また、注文サーバ２１は、注文情報におけるカード指定情報に基づいて、カードメッセージをメッセージカードに印刷機２２で印刷させる。
また、注文サーバ２１は、注文情報における発刊日情報およびオプション情報を、画像処理装置２３に送信する。
また、注文サーバ２１は、注文情報における種類情報を、制御端末５１に送信する。
【００２０】
画像処理装置２３は、注文サーバ２１から発刊日情報およびオプション情報を受信する。画像処理装置２３は、発刊日情報が表す日付の日に発刊された新聞の所定の紙面の掲載内容を示す新聞画像データを、新聞サーバ４０から取得する。例えば、所定の紙面は、新聞の第一面またはテレビ番組面である。なお、紙面は、顧客によって指定されてもよい。
画像処理装置２３は、新聞サーバ４０から取得した新聞画像データを加工することによって編集後新聞画像データを生成する。新聞画像データの加工としては、例えば、ノイズ除去と、メッセージの置き換えとがある。
【００２１】
すなわち、画像処理装置２３は、画像処理を実行することによって、新聞画像データからノイズ（新聞紙面の汚れやしわによる模様等）を除去する。具体的に、例えば、画像処理装置２３は、新聞画像の尤もらしい背景色と同一色で汚れ部分を着色することによりノイズを除去する。
【００２２】
なお、新聞画像データは、以下の処理によって得られたデータである。すなわち、新聞紙の所定の紙面をマイクロフィルムに撮影する。この際、照射する照明光の光度を調整することによって、紙面の地の色を飛ばす。つまり、例えば、照明光の光度を高めに設定することによって、紙面の地の色を白色系にする。次に、例えば、スキャナを用いてマイクロフィルムからデジタル画像データを生成する。この際に、スキャナの光度を調整したり、デジタル化フォーマットを適正化したりすることによって、デジタル画像データにおける地の色を調整する。デジタル画像データにノイズが残っている場合、画像処理アプリケーションソフトウェアを用いてそのノイズを低減または除去する。このようにして得られたデジタル画像データが新聞画像データである。
【００２３】
なお、画像処理装置２３は、新聞紙面に破損があった場合、その破損部分を、画像処理によって補完してもよい。また、画像処理装置２３は、新聞画像データにおける新聞画像の背景色を抜き出し、この抜き出した背景色を、所定の色（例えば、水色）で描画してもよい。これにより、背景色を所定の色とした新聞パズルを製造することができる。
【００２４】
また、オプション情報にメッセージ指定情報が含まれている場合、画像処理装置２３は、新聞画像データの新聞画像における記事の一部分を、メッセージ指定情報の文字で置き換える。例えば、メッセージ指定情報が“○○君、おめでとう”である場合、画像処理装置２３は、記事の一部分を、“○○君、おめでとう”に置き換える。この記事の置き換えの具体例については後述する。
【００２５】
画像処理装置２３は、新聞画像データの加工によって得た編集後新聞画像データを、パズル製造システム５０の制御端末５１に送信する。
また、画像処理装置２３は、印刷機２２を用いて、所定の大きさ（例えば、Ａ３サイズ）の紙媒体に、編集後新聞画像データを印刷させる。紙媒体は、任意の色紙であってよい。印刷により得られた印刷物は、新聞パズルの完成図である。
【００２６】
印刷機２２が印刷した注文票と、パッケージの表紙と、完成図と、メッセージカード（オプションが指定された場合に限る。）とは、サービス提供事業者によって一元管理される。
【００２７】
制御端末５１は、印刷機５２および切断機５３を制御する。制御端末５１は、注文サーバ２１から種類情報を受信し、また、画像処理装置２３から編集後新聞画像データを受信する。
印刷機５２は、制御端末５１から編集後新聞画像データを取得し、所定の大きさ（例えば、Ａ３サイズ）の台紙に、編集後新聞画像データを印刷する。
【００２８】
切断機５３は、制御端末５１から種類情報を取得し、印刷された台紙を、種類情報が示す種類に応じた数量の小片（ピース）に切断する。例えば、種類情報が４０ピース（初級）を示す情報である場合、切断機５３は、印刷された台紙を４０個の小片に切断する。また、例えば、種類情報が１１７ピース（標準）を示す情報である場合、切断機５３は、印刷された台紙を１１７個の小片に切断する。また、例えば、種類情報が３１５ピース（上級）を示す情報である場合、切断機５３は、印刷された台紙を３１５個の小片に切断する。このようにして複数の小片に切断された台紙は、例えば、ジグソーパズルである。なお、切断機５３は、カラー印刷された台紙を切断する際に、複数の小片をばらばらに分散させてしまうのではなく、台紙の面に対して上方からプレスするように小片を打ち抜き、複数の小片が分散しないようにする。
【００２９】
パズル製造事業者は、製造された新聞パズルをサービス提供事業者に納品する。サービス提供事業者は、納品された新聞パズルに欠品、傷、印刷の間違いがないことを確認した後、新聞パズルの小片の袋詰めを行う。
【００３０】
サービス提供事業者は、注文票とともに管理されたパッケージの表紙と、完成図と、オプション（オプションが指定された場合に限る。）と、袋詰めされた新聞パズルとをパッケージに同梱する。
【００３１】
図２は、注文サーバ２１が記憶する新聞管理テーブルのデータ構成の例を示す図である。図２に示すように、新聞管理テーブルは、所定期間分の毎日の新聞管理情報を格納する。新聞管理情報は、識別情報と、日付情報と、フラグ情報とを含む。識別情報は、例えば、識別番号である。日付情報は、例えば、“年月日”を表す情報である。フラグ情報は、日付情報が示す日が新聞の発刊日であるか、休刊日であるかを示す情報である。例えば、“１”は発刊日、“０（ゼロ）”は休刊日を表す。
【００３２】
図３は、第１の実施形態における注文サーバ２１による注文処理の手順の例を示すフローチャートである。注文端末１０が注文サーバ２１の新聞パズル注文サイトにアクセスした状態で、本フローチャートの処理が実行される。
【００３３】
ステップＳ１において、注文端末１０により顧客の希望の日付の入力を受け付けると、注文サーバ２１は、その希望の日付を表す日付情報（例えば、“年月日”）を取得する。
次に、ステップＳ２において、注文サーバ２１は、日付情報をキーとして新聞管理テーブルを検索し、該当する新聞管理情報を読み出す。次に、注文サーバ２１は、新聞管理情報におけるフラグ情報が休刊日を示すか否かを判定する。注文サーバ２１は、フラグが休刊日を示す（例えば、フラグ情報が“０（ゼロ）”である。）と判定した場合（ステップＳ２：ＹＥＳ）は、ステップＳ３の処理に移す。一方、注文サーバ２１は、フラグ情報が発刊日を示す（例えば、フラグが“１”である。）と判定した場合（ステップＳ２：ＮＯ）は、日付情報を発刊日情報とし、ステップＳ４の処理に移す。
【００３４】
ステップＳ３において、注文サーバ２１は、新聞管理テーブルを参照し、ステップＳ１の処理において取得した日付情報が示す日付の直前の発刊日を検出し、この検出した発刊日を表す情報を発刊日情報として取得する。
なお、ステップＳ３において、注文サーバ２１は、日付情報が示す日付の直後の発刊日を検出し、この検出した発刊日を表す情報を発刊日情報として取得してもよい。
【００３５】
ステップＳ４において、注文端末１０において新聞パズルの種類の入力を受け付けると、注文サーバ２１は、その種類を表す種類情報（例えば、“４０ピース”、“１１７ピース”、または“３１５ピース”）を取得する。
次に、ステップＳ５において、注文端末１０においてパッケージ情報の入力を受け付けると、注文サーバ２１は、そのパッケージ情報（例えば、タイトル情報、供給先情報、供給日情報、および供給元情報）を取得する。
次に、ステップＳ６において、注文端末１０においてオプションの選択を受け付けると、注文サーバ２１は、そのオプションを示すオプション情報（例えば、フレーム指定情報、ルーペ指定情報、カード指定情報、およびメッセージ指定情報）を取得する。
【００３６】
次に、ステップＳ７において、ステップＳ６の処理において取得したオプション情報に、カード指定情報が含まれているか否かを判定し、カード指定情報が含まれていると判定した場合（ステップＳ７：ＹＥＳ）はステップＳ８の処理に移し、カード指定情報が含まれていないと判定した場合（ステップＳ７：ＮＯ）はステップＳ９の処理に移す。
【００３７】
ステップＳ８において、注文端末１０においてカードメッセージの入力を受け付けると、注文サーバ２１は、そのカードメッセージを取得し、取得したカードメッセージをカード指定情報に含める。
【００３８】
次に、ステップＳ９において、注文端末１０において支払方法および顧客情報の入力を受け付けると、注文サーバ２１は、支払方法を示す支払方法情報および顧客情報を取得する。次に、注文サーバ２１は、パッケージ情報に応じて、新聞パズルの販売価格を算出し、この算出した販売価格を示す価格情報を取得する。
【００３９】
次に、ステップＳ１０において、注文サーバ２１は、発刊日情報と、種類情報と、パッケージ情報と、オプション情報（但し、オプションが選択された場合に限る。）と、顧客情報と、会計情報とを含む注文情報を生成する。
【００４０】
図４は、第１の実施形態における画像処理装置２３による画像処理の手順の例を示すフローチャートである。
ステップＳ２１において、画像処理装置２３は、注文サーバ２１から発刊日情報およびオプション情報を受信する。
次に、ステップＳ２２において、画像処理装置２３は、発刊日情報が表す日付の日に発刊された新聞の所定の紙面の掲載内容を示す新聞画像データを、新聞サーバ４０から取得する。
次に、ステップＳ２３において、画像処理装置２３は、画像処理を実行することによって、新聞画像データからノイズ（新聞紙面の汚れ）を除去する。
【００４１】
次に、ステップＳ２４において、画像処理装置２３は、オプション情報にメッセージ指定情報が含まれているか否かを判定し、メッセージ指定情報が含まれていると判定した場合（ステップＳ２４：ＹＥＳ）はステップＳ２５の処理に移し、メッセージ指定情報が含まれていないと判定した場合（ステップＳ２４：ＮＯ）はステップＳ２６の処理に移す。
【００４２】
ステップＳ２５において、画像処理装置２３は、新聞画像データの新聞画像における記事の一部分を、メッセージ指定情報に含まれるメッセージで置き換える。
次に、ステップＳ２６において、画像処理装置２３は、新聞画像データの加工によって得た編集後新聞画像データを制御端末５１に送信する。
【００４３】
図５は、パズル製造システム５０が製造した新聞パズルの例の正面図である。但し、図５は、新聞パズル５の一部分の小片が組み合わせから外れた状態を表している。新聞パズル５は、ノイズ除去の画像加工がされた編集後新聞画像データが、Ａ３サイズの台紙に印刷されて製造されたジグソーパズルである。
【００４４】
図６は、パズル製造システム５０が製造した新聞パズルの別の例の正面図である。但し、図６は、新聞パズル６の一部分の小片が組み合わせから外れた状態を表している。新聞パズル６は、ノイズ除去の画像加工がされるとともに、記事の一部分がメッセージ（“○○君、おめでとう”に置き換えられる画像処理がされた編集後新聞画像データが、Ａ３サイズの台紙に印刷されて製造されたジグソーパズルである。
【００４５】
第１の実施形態による新聞パズル製造方法は、日付の入力を受け付ける日付入力受付ステップと、日付入力受付ステップにおいて受け付けた日付の日に発刊された新聞の所定の紙面の掲載内容を示す新聞画像データを新聞サーバ４０から取得する新聞画像データ取得ステップと、新聞画像データ取得ステップにおいて取得された新聞画像データを加工することによって編集後新聞画像データを生成する画像処理ステップと、画像処理ステップにおいて生成された編集後新聞画像データを台紙に印刷する印刷ステップと、印刷ステップにおいて印刷された台紙を複数の小片に切断して新聞パズルを生成する新聞パズル生成ステップと、を有する。
【００４６】
これにより、特定の日付の日に発刊された新聞の複製物に娯楽性および遊戯性を兼ね備えた新聞パズルを、製造することができる。
【００４７】
なお、第１の実施形態による新聞パズル製造方法において、メッセージの入力を受け付けるメッセージ入力受付ステップ、を新聞画像データ取得ステップよりも前の段階に更に有し、画像処理ステップは、新聞画像データの新聞画像における記事の一部分を、メッセージ入力受付ステップにおいて受け付けられたメッセージで置き換えてもよい。
【００４８】
これにより製造された新聞パズルは、この新聞パズルが組み上げられた際に、新聞記事に紛れたメッセージを読み取ることができるため、より一層の娯楽性および遊戯性を得ることができる。
【００４９】
［第２の実施形態］
第２の実施形態の構成図は、図１を用いる。
第２の実施形態において、オプション情報は、フレーム指定情報と、ルーペ指定情報と、カード指定情報と、メッセージ指定情報と、ユーザ画像データ（画像データ）を指定するユーザ画像指定情報とのうち、顧客が選択した任意の情報を含む。なお、画像指定情報には、ユーザ画像データが含まれる。
【００５０】
画像処理装置２３は、新聞サーバ４０から取得した新聞画像データを加工することによって編集後新聞画像データを生成する。新聞画像データの加工としては、例えば、ノイズ除去とメッセージの置き換えとの他に、写真の置き換えがある。
【００５１】
オプション情報にユーザ画像指定情報が含まれている場合、画像処理装置２３は、画像処理を実行することによって、新聞画像データの新聞画像に写真画像領域があるか否かを判定する。具体的に、例えば、画像処理装置２３は、新聞画像データから矩形図形をパターンマッチング法により探索し、探索された矩形図形を写真画像領域として検出する。そして、画像処理装置２３は、写真画像領域があると判定した場合に、その写真画像領域に、ユーザ画像データまたはユーザ画像データに基づき加工された画像データをはめ込む。ユーザ画像データに基づき加工された画像データとは、ユーザ画像データの大きさと写真画像領域の大きさとを合わせるために、ユーザ画像データを拡大、縮小、または切り抜きの処理を行うことによって得たデータである。
【００５２】
図７は、第２の実施形態における画像処理装置２３による画像処理の手順の例を示すフローチャートである。
ステップＳ３１からステップＳ３６の手前までの処理は、第１の実施形態におけるステップＳ２１からステップＳ２６の手前までの処理と同様であるため、ステップＳ３１からステップＳ３５までの処理についての説明を省略する。
【００５３】
ステップＳ３６において、画像処理装置２３は、オプション情報にユーザ画像指定情報が含まれているか否かを判定し、ユーザ画像指定情報が含まれていると判定した場合（ステップＳ３６：ＹＥＳ）はステップＳ３７の処理に移し、ユーザ画像指定情報が含まれていないと判定した場合（ステップＳ３６：ＮＯ）はステップＳ３９の処理に移す。
【００５４】
ステップＳ３７において、画像処理装置２３は、画像処理を実行することによって、新聞画像データの新聞画像に写真画像領域があるか否かを判定し、写真画像領域があると判定した場合（ステップＳ３７：ＹＥＳ）はステップＳ３８の処理に移し、写真画像領域がないと判定した場合（ステップＳ３７：ＮＯ）はステップＳ３９の処理に移す。
【００５５】
ステップＳ３８において、画像処理装置２３は、ステップＳ３７の処理において検出した写真画像領域に、ユーザ画像データまたはユーザ画像データに基づき加工された画像データをはめ込む。
次に、ステップＳ３９において、画像処理装置２３は、新聞画像データの加工によって得た編集後新聞画像データを制御端末５１に送信する。
【００５６】
図８は、パズル製造システム５０が製造した新聞パズルの別の例の正面図である。但し、図８は、新聞パズル８の一部分の小片が組み合わせから外れた状態を表している。新聞パズル８は、ノイズ除去の画像加工がされるとともに、写真画像領域にユーザ画像データの画像８０１がはめ込まれた編集後新聞画像データが、Ａ３サイズの台紙に印刷されて製造されたジグソーパズルである。
【００５７】
第２の実施形態による新聞パズル製造方法は、画像データの入力を受け付ける画像データ入力受付ステップ、を画像処理ステップよりも前の段階に更に有し、画像処理ステップは、新聞画像データの新聞画像に写真画像領域があるか否かを判定し、写真画像領域があると判定した場合に、写真画像領域に、画像データ入力受付ステップにおいて受け付けられたユーザ画像データまたはユーザ画像データに基づき加工された画像データをはめ込む。
【００５８】
これにより製造された新聞パズルは、この新聞パズルが組み上げられた際に、新聞記事の写真欄にユーザ画像を見て取ることができるため、より一層の娯楽性および遊戯性を得ることができる。
【００５９】
なお、画像処理ステップは、所定のウェブサイト（Ｗｅｂ  Ｓｉｔｅ）の所在情報を表すコード情報を、編集後新聞画像データに埋め込んでもよい。所在情報は、例えばウェブサイトのＵＲＬ（Ｕｎｉｆｏｒｍ  Ｒｅｓｏｕｒｃｅ  Ｌｏｃａｔｏｒ）である。コード情報は、例えば、バーコードまたは二次元コードである。例えば、ウェブサイトの所在情報は、新聞パズルの注文時に顧客によって指定される。この場合、ウェブサイトは、顧客が作成した任意のサイト（例えば、アルバムや動画のサイト）である。また、ウェブサイトの所在情報は、予めサービス提供事業者によって指定されてもよい。この場合、ウェブサイトは、サービス事業者の提供サービスサイトである。
【００６０】
図９は、パズル製造システム５０が製造した新聞パズルの別の例の正面図である。但し、図９は、新聞パズル９の一部分の小片が組み合わせから外れた状態を表している。新聞パズル９は、ノイズ除去の画像加工がされるとともに、コード情報である二次元コード９０１が記事に埋め込まれた編集後新聞画像データが、Ａ３サイズの台紙に印刷されて製造されたジグソーパズルである。
【００６１】
これにより、新聞パズル９を組んだ際に、ユーザは、撮影機能を有する携帯端末等で二次元コード９０１を読み取らせることによって、その携帯端末から二次元コード９０１に示されるウェブサイトにアクセスすることができる。
【００６２】
図１０は、台紙が切断機５３の切断刃によって切断される様子を表す拡大された断面図である。図１０に示すように、新聞パズルの台紙１０３は、例えば、厚紙製の基板１０１の片面に編集後新聞画像データが印刷された印刷紙１０２が貼り合わされて形成されている。例えば、台紙１０３は、印刷紙１０２を上側にして、切断機５３の台座（不図示）に捨て紙１０４（または、クッション）を挟んで載置され、その印刷紙１０２の上側から切断刃１０５を下側に押し入れることにより、複数の小片に型抜きして製造される。これによれば、切断された各小片の表面側縁部は、印刷紙１０２が基板１０１に食い込むことにより丸みを帯びる。したがって、組み合わされた各小片の継ぎ目１０６ａ，１０６ｂは溝状となるため、小片のつなぎ目の図柄の美観が損なわれてしまう。
【００６３】
そこで、各小片の表面側縁部が丸みを帯びた状態の新聞パズルを正面からみた場合に、記事や画像が適切に視認されるよう、画像処理装置２３は、新聞画像データの小片のつなぎ目に相当する部分の画像を歪ませる画像処理を行って、編集後新聞画像データを生成してもよい。
これにより、小片のつなぎ目の図柄の途切れが目立たなくなり、新聞パズルの図柄の美観を高品位に保つことができる。
【００６４】
また、上述した実施形態である画像処理装置２３の一部の機能をコンピュータで実現するようにしてもよい。この場合、その機能を実現するための画像処理プログラムをコンピュータ読み取り可能な記録媒体に記録し、この記録媒体に記録された画像処理プログラムをコンピュータシステムに読み込ませて、このコンピュータシステムが実行することにより、当該機能を実現してもよい。なお、このコンピュータシステムとは、オペレーティングシステム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記の画像処理プログラムは、前述した機能の一部を実現するためのものであってもよく、さらに、前述した機能をコンピュータシステムにすでに記録されているプログラムとの組み合わせにより実現するものであってもよい。
【００６５】
以上、本発明の実施の形態について図面を参照して詳述したが、具体的な構成はその実施形態に限られるものではなく、本発明の要旨を逸脱しない範囲の設計等も含まれる。
【符号の説明】
【００６６】
１…受発注システム、１０…注文端末、２０…受注システム、２１…注文サーバ、２２…印刷機、２３…画像処理装置、４０…新聞サーバ、５０…パズル製造システム、５１…制御端末、５２…印刷機、５３…切断機、６０…ネットワーク
【図１】
2016045632.tif 000003
【図２】
2016045632.tif 000004
【図３】
2016045632.tif 000005
【図４】
2016045632.tif 000006
【図５】
2016045632.tif 000007
【図６】
2016045632.tif 000008
【図７】
2016045632.tif 000009
【図８】
2016045632.tif 000010
【図９】
2016045632.tif 000011
【図１０】
2016045632.tif 000012